【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
ポイントツーポイント支払トランザクションを記録する方法であって、
支払トランザクションに係る第１データメッセージを、処理システムの受信装置によって受信するステップであって、受信された前記第１データメッセージは、１つ以上の標準に従ってフォーマットされ、受信された前記第１データメッセージは１つ以上のアプリケーションプログラムインターフェイス（API）を使用して受信され、受信された前記第１データメッセージが、少なくとも、（ｉ）トランザクション明細を格納する第１データ要素と、（ｉｉ）主要アカウント番号を格納する第２データ要素と、（ｉｉｉ）レシピエントアカウント番号を格納する第３データ要素と、を含む少なくとも複数のデータ要素を含むステップと、
受信された前記第１データメッセージの前記第１、第２及び第３データ要素を、受信された前記第１データメッセージに属する記録へのリンクと共に前記処理システムの商用データベースに格納するステップであって、前記リンクが、受信された前記第１データメッセージに基づいて、外部アプリケーションプログラムにて又は企業間（Ｂ２Ｂ）ネットワークにて文書へのアクセスを提供するステップと、
前記支払トランザクションに係る第２データメッセージを、前記処理システムによって生成するステップであって、前記第２データメッセージを、１つ以上の標準に従ってフォーマットし、前記第２データメッセージが、支払額を格納する第１データ要素を含む少なくとも複数のデータ要素を含み、前記支払額が、少なくとも前記トランザクション明細に基づくステップと、
生成された前記第２データメッセージの前記第１データ要素を、生成された前記第２データメッセージに属する記録へのリンクと共に前記処理システムの前記商用データベースに格納するステップであって、前記リンクが、生成された前記第２データメッセージに基づいて、前記外部アプリケーションプログラム又は企業間（Ｂ２Ｂ）ネットワークへ、文書へのアクセスを提供するステップと、
生成された前記第２データメッセージを、前記処理システムの送信装置によって、前記主要アカウント番号に係るトランザクションアカウントと関連付けられた第１金融機関に電子送信するステップと、
前記支払トランザクションに係る第３データメッセージを、前記処理システムによって生成するステップであって、生成された前記第３データメッセージは、１つ以上の標準に従ってフォーマットされ、生成された前記第３データメッセージが、（ｉ）決済額を格納する第１データ要素と、（ｉｉ）前記レシピエントアカウント番号を格納する第２データ要素と、を含む少なくとも複数のデータ要素を含み、前記決済額が、少なくとも前記トランザクション明細に基づくステップと、
生成された前記第３データメッセージの、前記第１データ要素及び前記第２データ要素を、生成された前記第３データメッセージに属する記録へのリンクと共に前記処理システムの前記商用データベースに格納するステップであって、前記リンクが、生成された前記第３データメッセージに基づいて、前記外部アプリケーションプログラム又はＢ２Ｂネットワークにて、文書へのアクセスを提供するステップと、
生成された前記第３データメッセージを、前記処理システムの前記送信装置によって、前記レシピエントアカウント番号に係るトランザクションアカウントと関連付けられた第２金融機関に電子送信するステップと、
受信された前記第１データメッセージと、生成された前記第２データメッセージと、生成された前記第３データメッセージとを、前記処理システムの前記送信装置によって、グラフィカルユーザインターフェイス（GUI）上に表示するために、電子送信するステップと、を含む方法。
【請求項２】
受信された前記第１データメッセージ、生成された前記第２データメッセージ、及び生成された前記第３データメッセージは、ISO8583標準に従ってフォーマットされる、請求項１に記載の方法。
【請求項３】
受信された前記第１データメッセージはISO8583標準に従ってフォーマットされ、
生成された前記第２データメッセージ及び生成された前記第３データメッセージはISO20022標準に従ってフォーマットされる、請求項１に記載の方法。
【請求項４】
前記第２データメッセージを生成するステップは、ISO8583標準とISO20022標準との間の対応に基づいて、受信された前記第１データメッセージを前記第２データメッセージに変換するステップを含む、請求項３に記載の方法。
【請求項５】
トランザクション明細は、トランザクション額、注文日、履行日、及びステータスのうちの１つ以上を含む、請求項１に記載の方法。
【請求項６】
前記決済額が前記トランザクション明細と同等である、請求項１に記載の方法。
【請求項７】
更に、前記支払トランザクションに係わる第４データメッセージを、前記処理システムによって生成するステップであって、生成された前記第４データメッセージは標準に従ってフォーマットされ、生成された前記第４データメッセージが、少なくとも、（ｉ）前記トランザクション明細を格納する第１データ要素と、（ｉｉ）前記レシピエントアカウント番号を格納する第２データ要素と、を含む複数のデータ要素を含むステップと、
生成された前記第４データメッセージを、前記処理システムの送信装置によって電子送信するステップと、を含む、請求項１に記載の方法。
【請求項８】
生成された前記第４データメッセージを前記第２金融機関に電子送信する、請求項７に記載の方法。
【請求項９】
受信された前記第１データメッセージは第三者システムから受信され、生成された前記第４データメッセージを前記第三者システムに電子送信する、請求項７に記載の方法。
【請求項１０】
生成された前記第４データメッセージはISO8583標準に従ってフォーマットされる、請求項７に記載の方法。
【請求項１１】
前記処理システムが、第１コンピューティング装置及び第２コンピューティング装置を含み、
前記第１コンピューティング装置が前記受信装置を含み、
前記第２コンピューティング装置が前記送信装置を含む、請求項１に記載の方法。
【請求項１２】
更に、少なくとも前記支払額が重畳されたデータ信号を、前記処理システムの前記第１コンピューティング装置によって生成するステップと、
生成した前記データ信号を、前記処理システムの前記第１コンピューティング装置の送信装置によって、前記第２コンピューティング装置に電子送信するステップと、
前記データ信号を、前記処理システムの前記第２コンピューティング装置の受信装置によって受信するステップと、を含む、請求項１１に記載の方法。
【請求項１３】
前記商用データベースに格納された、受信された前記第１データメッセージの前記第１、第２及び第３データ要素が取引ディレクトリを備える、請求項１に記載の方法。
【請求項１４】
前記商用データベースに格納された、受信された前記第１データメッセージの前記第１、第２及び第３データ要素が元帳を備える、請求項１に記載の方法。
【請求項１５】
ポイントツーポイント支払トランザクションを記録する処理システムであって、
支払トランザクションに係る第１データメッセージを受信するよう構成された受信装置であって、受信された前記第１データメッセージが、１つ以上の標準に従ってフォーマットされ、１つ以上のアプリケーションプログラムインターフェイス（API）を使用して受信され、また受信された前記第１データメッセージが、少なくとも、（ｉ）トランザクション明細を格納する第１データ要素と、（ｉｉ）主要アカウント番号を格納する第２データ要素と、（ｉｉｉ）レシピエントアカウント番号を格納する第３データ要素と、を含む少なくとも複数のデータ要素を含む受信装置と、
受信された前記第１データメッセージの前記第１、第２及び第３データ要素を、受信された前記第１データメッセージに属する記録へのリンクと共に格納するよう構成された商用データベースであって、前記リンクが、受信された前記第１データメッセージに基づいて、外部アプリケーションプログラム又は企業間（Ｂ２Ｂ）ネットワークにて、文書へのアクセスを提供する商用データベースと、
前記支払トランザクションに係る第２データメッセージを生成するよう構成された処理サーバであって、前記第２データメッセージが、１つ以上の標準に従ってフォーマットされ、また支払額を格納する第１データ要素を含む少なくとも複数のデータ要素を含み、前記支払額が、少なくとも前記トランザクション明細に基づき、前記商用データベースは、生成された前記第２データメッセージの前記第１データ要素を、生成された前記第２データメッセージに属する記録へのリンクと共に格納するよう構成され、前記リンクが、前記外部アプリケーションプログラム又は企業間（Ｂ２Ｂ）ネットワークへ、前記第２データメッセージに基づいて文書へのアクセスを提供する、処理サーバと、
生成された前記第２データメッセージを、前記主要アカウント番号に係るトランザクションアカウントと関連付けられた第１金融機関に電子送信するよう構成された送信装置と、
を含み、
前記処理サーバは、前記支払トランザクションに係る第３データメッセージを生成するよう構成され、生成された前記第３データメッセージが、１つ以上の標準に従ってフォーマットされ、また（ｉ）決済額を格納する第１データ要素と（ｉｉ）前記レシピエントアカウント番号を格納する第２データ要素とを含む少なくとも複数のデータ要素を含み、前記決済額が、少なくとも前記トランザクション明細に基づき、
前記商用データベースは更に、生成された前記第３データメッセージの前記第１データ要素及び前記第２データ要素を、生成された前記第３データメッセージに属する記録へのリンクと共に格納するよう構成され、前記リンクが、前記外部アプリケーションプログラム又は前記企業間（Ｂ２Ｂ）ネットワークへ、生成された前記第３データメッセージに基づいて文書へのアクセスを提供し、
前記送信装置は更に、
生成された前記第３データメッセージを、前記レシピエントアカウント番号に係るトランザクションアカウントと関連付けられた第２金融機関に送信するよう構成され、
受信された前記第１データメッセージと、生成された前記第２データメッセージと、生成された前記第３データメッセージとを、グラフィカルユーザインターフェイス（GUI）上に表示するために、送信するよう構成される、システム。
【請求項１６】
受信された前記第１データメッセージ、生成された前記第２データメッセージ、及び生成された前記第３データメッセージが、ISO8583標準に従ってフォーマットされる、請求項１５に記載のシステム。
【請求項１７】
受信された前記第１データメッセージがISO8583標準に従ってフォーマットされ、また生成された前記第２データメッセージ及び生成された前記第３データメッセージがISO20022標準に従ってフォーマットされる、請求項１５に記載のシステム。
【請求項１８】
前記第２データメッセージの生成は、ISO8583標準とISO20022標準との間の対応に基づく、生成された前記第１データメッセージの前記第２データメッセージへの変換を含む、請求項１７に記載のシステム。
【請求項１９】
トランザクション明細は、トランザクション額、注文日、履行日、及びステータスのうちの１つ以上を含む、請求項１５に記載のシステム。
【請求項２０】
前記決済額が前記トランザクション明細と同等である、請求項１５に記載のシステム。
【請求項２１】
前記処理サーバは更に、前記支払トランザクションに係わる第４データメッセージを生成するよう構成され、生成された前記第４データメッセージが、標準に従ってフォーマットされ、少なくとも、（ｉ）前記トランザクション明細を格納する第１データ要素と、（ｉｉ）前記レシピエントアカウント番号を格納する第２データ要素と、を含む複数のデータ要素を含み、
前記送信装置は更に、生成された前記第４データメッセージを送信するよう構成される、請求項１５に記載のシステム。
【請求項２２】
生成された前記第４データメッセージが前記第２金融機関に電子送信される、請求項２１に記載のシステム。
【請求項２３】
受信された前記第１データメッセージが第三者システムから受信され、また生成された前記第４データメッセージが前記第三者システムに電子送信される、請求項２１に記載のシステム。
【請求項２４】
生成された前記第４データメッセージがISO8583標準に従ってフォーマットされる、請求項２１に記載のシステム。
【請求項２５】
前記処理システムが更に、第１コンピューティング装置及び第２コンピューティング装置を含み、
前記第１コンピューティング装置が前記受信装置を含み、
前記第２コンピューティング装置が前記送信装置を含む、請求項１５に記載のシステム。
【請求項２６】
前記第１コンピューティング装置は、少なくとも前記支払額が重畳されたデータ信号を生成するよう構成され、前記システムは更に、
生成された前記データ信号を前記第２コンピューティング装置に送信するよう構成された、前記第１コンピューティング装置の送信装置と、
前記データ信号を受信するよう構成された、前記第２コンピューティング装置の受信装置と、を含む、請求項２５に記載のシステム。
【請求項２７】
前記商用データベースに格納された、受信された前記第１データメッセージの前記第１、第２及び第３データ要素が取引ディレクトリを備える、請求項１５に記載のシステム。
【請求項２８】
前記商用データベースに格納された、受信された前記第１データメッセージの前記第１、第２及び第３データ要素が元帳を備える、請求項１５に記載のシステム。